【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
ａ）６００〜３，５００の数平均分子量を有する、少なくとも１つのポリエーテル、ポリエステル、またはポリカーボネートポリオール、
ｂ）４，４’−ＭＤＩ対２，４’−ＭＤＩ異性体の比が６５：３５〜３５：６５の範囲である、４，４’−および２，４’−メチレンビス（フェニルイソシアネート）（ＭＤＩ）異性体の混合物、ならびに
ｃ）（ｉ）成分ｂ）のＭＤＩ異性体の混合物と反応することができるヒドロキシ基と、（ｉｉ）成分ｂ）のＭＤＩ異性体の混合物と反応することができない、中和時に塩を形成することができる少なくとも１つのカルボン酸基とを含む少なくとも１つのジオール化合物
を含む水性ポリウレタン分散液での使用のためのプレポリマーであって、
実質的に無溶媒であることを特徴とするプレポリマー。
【請求項２】
水性ポリウレタン分散液での使用のためのプレポリマーの製造方法であって、プレポリマーが、
ａ）６００〜３，５００の数平均分子量を有する、少なくとも１つのポリエーテル、ポリエステル、またはポリカーボネートポリオール、
ｂ）４，４’−ＭＤＩ対２，４’−ＭＤＩ異性体の比が６５：３５〜３５：６５の範囲である、４，４’−および２，４’−メチレンビス（フェニルイソシアネート）（ＭＤＩ）異性体の混合物、ならびに
ｃ）（ｉ）成分ｂ）のＭＤＩ異性体の混合物と反応することができるヒドロキシ基と、（ｉｉ）成分ｂ）のＭＤＩ異性体の混合物と反応することができない、中和時に塩を形成することができる少なくとも１つのカルボン酸基とを含む少なくとも１つのジオール化合物
を含み、
そして該方法が成分ａ）、ｂ）、およびｃ）を実質的に無溶媒の系で組み合わせる工程を含むことを特徴とする方法。
【請求項３】
ａ）６００〜３，５００の数平均分子量を有する、少なくとも１つのポリエーテル、ポリエステル、またはポリカーボネートポリオール、
ｂ）４，４’−ＭＤＩ対２，４’−ＭＤＩ異性体の比が６５：３５〜３５：６５の範囲である、４，４’−および２，４’−メチレンビス（フェニルイソシアネート）（ＭＤＩ）異性体の混合物、ならびに
ｃ）（ｉ）成分ｂ）のＭＤＩ異性体の混合物と反応することができるヒドロキシ基と（ｉｉ）成分ｂ）のＭＤＩ異性体の混合物と反応することができない、中和時に塩を形成することができる少なくとも１つのカルボン酸基とを含む少なくとも１つのジオール化合物
を含むプレポリマーを含む水性ポリウレタン分散液であって、
該水性ポリウレタン分散液は実質的に無溶媒の系であり、
ｄ）少なくとも１つのジオール化合物とイオン性塩を形成するための少なくとも１つの中和剤、および
ｅ）イソシアネート基のためのブロッキング剤としての少なくとも１つの単官能性ジアルキルアミン化合物
をさらに含むことを特徴とする水性ポリウレタン分散液。
【請求項４】
水性ポリウレタン分散液の製造方法であって、
水性ポリウレタン分散液がプレポリマーを含み、水性ポリウレタン分散液が、
ｄ）少なくとも１つのジオール化合物とイオン性塩を形成するための少なくとも１つの中和剤、および
ｅ）イソシアネート基のためのブロッキング剤としての少なくとも１つの単官能性ジアルキルアミン化合物
をさらに含む実質的に無溶媒の系であり、
およびプレポリマーを水性媒体に分散させる工程を含み、少なくとも１つの中和剤がプレポリマーを水性媒体に分散させる前にプレポリマーか水性媒体かのどちらかに加えられ、そして少なくとも１つのブロッキング剤がプレポリマーを水性媒体に分散させる間にかまたはその後かのどちらかに水性媒体に加えられることを特徴とする方法。
【請求項５】
実質的に無溶媒の水性ポリウレタン分散液から誘導されることを特徴とする造形品。
【請求項６】
請求項５に記載の造形品を含むことを特徴とする物品。
【請求項７】
請求項６に記載の物品を含むことを特徴とする衣類。
【請求項８】
少なくとも１つの造形品と前記造形品が付けられる基材とを含むことを特徴とする物品。
【請求項９】
請求項８に記載の物品を含むことを特徴とする衣類。
【請求項１０】
水性分散液でコートされた基材を含むことを特徴とする物品。
【請求項１１】
分散液をスプレーする、コートする、塗装する、プリントする、型押しする、浸漬する、および含浸させるための手段を用いて分散液を基材に提供する工程を含むことを特徴とする請求項１０に記載の物品の形成方法。
【請求項１２】
請求項１０に記載の物品を含むことを特徴とする衣類。
【請求項１３】
接着剤がストレッチ部材を基材に折ったへり配置で貼り付けるために使用されることを特徴とする接着剤、ストレッチ部材、および基材を含む物品。
【請求項１４】
接着剤およびストレッチ部材が第１工程で接合されて接着剤ストレッチ部材を製造し、そして接着剤ストレッチ部材が第２工程で基材に付けられることを特徴とする請求項１３に記載の物品の製造方法。
【請求項１５】
接着剤およびストレッチ部材が１つの工程で基材に加えられることを特徴とする請求項１３に記載の物品の製造方法。
【請求項１６】
請求項１３に記載の物品を含むことを特徴とする衣類。
【請求項１７】
ラミネートの剥離強度が、ＡＡＴＣＣ−１５０−２００１に従う５０回洗濯の後のＡＳＴＭ  Ｄ０９３−９３に従って、元の剥離強度値の５０％まで下がらないことを特徴とする物品および基材を含むラミネート。
【請求項１８】
ラミネートの水蒸気輸送がＡＳＴＭ  Ｅ９６−００に従って２４時間にわたって０〜３００ｇ／ｍ２であることを特徴とする物品および基材を含むラミネート。
【請求項１９】
ラミネートの通気度がＡＳＴＭ  Ｄ７３７−９６に従って０〜０．５ｃｆｍであることを特徴とする物品および基材を含むラミネート。
【請求項２０】
造形品および基材が貼り付けられてラミネートを形成し、それによってラミネートの摩擦係数が基材の摩擦係数より高いことを特徴とする請求項５に記載の造形品および基材を含む物品。
【請求項２１】
造形品を含む物品であって、物品が弾性率および長さを有し、前記弾性率が物品の長さに沿って変わることを特徴とする物品。
【手続補正２】
【補正対象書類名】明細書
【補正対象項目名】０１５９
【補正方法】変更
【補正の内容】
【０１５９】
本発明を例示的に説明してきたが、用いられた専門用語が限定の意味ではなく言葉または説明の意味で使用されるものであることを理解されたい。さらに、本発明を幾つかの例示的な実施形態について説明してきたが、当業者がこれらの教示を本発明の他の可能な変形に容易に適用するであろうことは認められるであろう。
以下に、本発明の好ましい態様を示す。
１．  ａ）６００〜３，５００の数平均分子量を有する、少なくとも１つのポリエーテル、ポリエステル、またはポリカーボネートポリオール、
ｂ）４，４’−ＭＤＩ対２，４’−ＭＤＩ異性体の比が６５：３５〜３５：６５の範囲である、４，４’−および２，４’−メチレンビス（フェニルイソシアネート）（ＭＤＩ）異性体の混合物、ならびに
ｃ）（ｉ）成分ｂ）のＭＤＩ異性体の混合物と反応することができるヒドロキシ基と、（ｉｉ）成分ｂ）のＭＤＩ異性体の混合物と反応することができない、中和時に塩を形成することができる少なくとも１つのカルボン酸基とを含む少なくとも１つのジオール化合物
を含む水性ポリウレタン分散液での使用のためのプレポリマーであって、
実質的に無溶媒であることを特徴とするプレポリマー。
２．  成分ａ）の少なくとも１つのポリエーテル、ポリエステル、またはポリカーボネートポリオールが１，４００〜２，４００の数平均分子量を有するポリ（テトラメチレンエーテル）グリコールであることを特徴とする１．に記載のプレポリマー。
３．  ４，４’−ＭＤＩ対２，４’−ＭＤＩ異性体の比が５５：４５〜４５：５５の範囲であることを特徴とする１．に記載のプレポリマー。
４．  少なくとも１つのジオール化合物が２，２−ジメチロールプロピオン酸（ＤＭＰＡ）、２，２−ジメチロールブタン酸、および２，２−ジメチロール吉草酸からなる群から選択されることを特徴とする１．に記載のプレポリマー。
５．  ４，４’−ＭＤＩ対２，４’−ＭＤＩ異性体の比が５５：４５〜４５：５５の範囲であり、そして少なくとも１つのジオール化合物が２，２−ジメチロールプロピオン酸（ＤＭＰＡ）であることを特徴とする２．に記載のプレポリマー。
６．  成分（ａ）がプレポリマーの総重量を基準にして３４％〜８９％の範囲の重量百分率で存在し、成分ｂ）がプレポリマーの総重量を基準にして５９％〜１０％の範囲の重量百分率で存在し、そして成分ｃ）がプレポリマーの総重量を基準にして７．０％〜１．０％の範囲の重量百分率で存在することを特徴とする１．に記載のプレポリマー。
７．  落球法によって４０℃で測定された、５００〜６，０００ポアズのバルク粘度を有することを特徴とする１．に記載のプレポリマー。
８．  落球法によって４０℃で測定された、５００〜４，５００ポアズのバルク粘度を有することを特徴とする７．に記載のプレポリマー。
９．  酸化防止剤、ＵＶ安定剤、着色剤、顔料、架橋剤、相変化物質、抗菌剤、鉱物、マイクロカプセル化健康添加剤、ナノ粒子、炭酸カルシウム、難燃剤、粘着防止添加剤、耐塩素性添加剤、染色助剤、接着促進剤、帯電防止剤、クレーター形成防止剤、クローリング防止剤、蛍光増白剤、融合助剤、導電性添加剤、ルミネセンス添加剤、フロー剤および均染剤、凍結融解安定剤、滑剤、有機および無機充填剤、防腐剤、テクスチャー加工剤、熱変色添加剤、昆虫忌避剤、ならびに湿潤剤からなる群から選択される少なくとも１つの追加成分をさらに含むことを特徴とする１．に記載のプレポリマー。
１０．  成分ａ）の少なくとも１つのポリエーテル、ポリエステル、またはポリカーボネートポリオールが２つのグリコール末端または３つのグリコール末端を有することを特徴とする１．に記載のプレポリマー。
１１．  水性ポリウレタン分散液がポリウレタンウレアであることを特徴とする１．に記載のプレポリマー。
１２．  水性ポリウレタン分散液での使用のためのプレポリマーの製造方法であって、プレポリマーが、
ａ）６００〜３，５００の数平均分子量を有する、少なくとも１つのポリエーテル、ポリエステル、またはポリカーボネートポリオール、
ｂ）４，４’−ＭＤＩ対２，４’−ＭＤＩ異性体の比が６５：３５〜３５：６５の範囲である、４，４’−および２，４’−メチレンビス（フェニルイソシアネート）（ＭＤＩ）異性体の混合物、ならびに
ｃ）（ｉ）成分ｂ）のＭＤＩ異性体の混合物と反応することができるヒドロキシ基と、（ｉｉ）成分ｂ）のＭＤＩ異性体の混合物と反応することができない、中和時に塩を形成することができる少なくとも１つのカルボン酸基とを含む少なくとも１つのジオール化合物
を含み、
そして該方法が成分ａ）、ｂ）、およびｃ）を実質的に無溶媒の系で組み合わせる工程を含むことを特徴とする方法。
１３．  成分ａ）、ｂ）、およびｃ）が混合され、そして５０℃〜１００℃の範囲の温度で反応させてもよいことを特徴とする１２．に記載の方法。
１４．  成分ａ）、ｂ）、およびｃ）が１つの工程で一緒に組み合わせられることを特徴とする１２．に記載の方法。
１５．  成分ａ）およびｂ）が第１工程で反応させられ、それに成分ｃ）との混合が続くことを特徴とする１２．に記載の方法。
１６．  触媒をさらに含むことを特徴とする１２．に記載の方法。
１７．  ａ）６００〜３，５００の数平均分子量を有する、少なくとも１つのポリエーテル、ポリエステル、またはポリカーボネートポリオール、
ｂ）４，４’−ＭＤＩ対２，４’−ＭＤＩ異性体の比が６５：３５〜３５：６５の範囲である、４，４’−および２，４’−メチレンビス（フェニルイソシアネート）（ＭＤＩ）異性体の混合物、ならびに
ｃ）（ｉ）成分ｂ）のＭＤＩ異性体の混合物と反応することができるヒドロキシ基と（ｉｉ）成分ｂ）のＭＤＩ異性体の混合物と反応することができない、中和時に塩を形成することができる少なくとも１つのカルボン酸基とを含む少なくとも１つのジオール化合物
を含むプレポリマーを含む水性ポリウレタン分散液であって、
該水性ポリウレタン分散液は実質的に無溶媒の系であり、
ｄ）少なくとも１つのジオール化合物とイオン性塩を形成するための少なくとも１つの中和剤、および
ｅ）イソシアネート基のためのブロッキング剤としての少なくとも１つの単官能性ジアルキルアミン化合物
をさらに含むことを特徴とする水性ポリウレタン分散液。
１８．  少なくとも１つの界面活性剤および少なくとも１つの消泡剤をさらに含むことを特徴とする１７．に記載の水性ポリウレタン分散液。
１９．  少なくとも１つのレオロジー調整剤をさらに含むことを特徴とする１８．に記載の水性ポリウレタン分散液。
２０．  ｆ）少なくとも１つのジアミン鎖延長成分、および
ｇ）ポリマーのモル当たり少なくとも３つ以上の第一級および／または第二級アミノ基を有する、５００より大きい分子量を有する少なくとも１つのポリマー成分
をさらに含むことを特徴とする１９．に記載の水性ポリウレタン分散液。
２１．  少なくとも１つの中和剤が第三級アミンおよびアルカリ金属水酸化物からなる群から選択され、そして少なくとも１つのブロッキング剤がＮ，Ｎ−ジエチルアミン、Ｎ−エチル−Ｎ−プロピルアミン、Ｎ，Ｎ−ジイソプロピルアミン、Ｎ−ｔｅｒｔ−ブチル−Ｎ−メチルアミン、Ｎ−ｔｅｒｔ−ブチル−Ｎ−ベンジルアミン、Ｎ，Ｎ−ジシクロヘキシルアミン、Ｎ−エチル−Ｎ−イソプロピルアミン、Ｎ−ｔｅｒｔ−ブチル−Ｎ−イソプロピルアミン、Ｎ−イソプロピル−Ｎ−シクロヘキシルアミン、Ｎ−エチル−Ｎ−シクロヘキシルアミン、Ｎ，Ｎ−ジエタノールアミン、および２，２，６，６−テトラメチルピペリジンからなる群から選択されることを特徴とする１７．に記載の水性ポリウレタン分散液。
２２．  少なくとも１つの界面活性剤がドデシル硫酸ナトリウム、ドデシルベンゼンスルホン酸ナトリウム、エトキシル化ノニルフェノール、および臭化ラウリルピリジニウムからなる群から選択されることを特徴とする１８．に記載の水性ポリウレタン分散液。
２３．  少なくとも１つのレオロジー調整剤が疎水性改質エトキシレートウレタン（ＨＥＵＲ）、疎水性改質アルカリ膨潤性エマルジョン（ＨＡＳＥ）、および疎水性改質ヒドロキシエチルセルロース（ＨＭＨＥＣ）からなる群から選択されることを特徴とする１９．に記載の水性ポリウレタン分散液。
２４．  少なくとも１つのジアミン鎖延長成分が１，２−エチレンジアミン、１，４−ブタンジアミン、１，６−ヘキサメチレンジアミン、１，１２−ドデカンジアミン、１，２−プロパンジアミン、２−メチル−１，５−ペンタンジアミン、１，２−シクロヘキサンジアミン、１，４−シクロヘキサンジアミン、４，４’−メチレン−ビス（シクロヘキシルアミン）、イソホロンジアミン、２，２−ジメチル−１，３−プロパンジアミン、およびｍ−テトラメチルキシレンジアミンからなる群から選択され、そして５００より大きい分子量を有する少なくとも１つのポリマー成分がポリエチレンイミンデンドリマー、ポリ（ビニルアミン）デンドリマー、ポリ（アリルアミン）デンドリマー、およびポリ（アミドアミン）デンドリマーからなる群から選択されることを特徴とする２０．に記載の水性ポリウレタン分散液。
２５．  成分ａ）の少なくとも１つのポリエーテル、ポリエステル、またはポリカーボネートポリオールが１，７００〜２，１００の数平均分子量を有するポリ（テトラメチレンエーテル）グリコールであり、４，４’−ＭＤＩ対２，４’−ＭＤＩ異性体の比が５５：４５〜４５：５５の範囲であり、そして少なくとも１つのジオール化合物が２，２−ジメチロールプロピオン酸（ＤＭＰＡ）であることを特徴とする１７．に記載の水性ポリウレタン分散液。
２６．  酸化防止剤、ＵＶ安定剤、着色剤、顔料、架橋剤、相変化物質、抗菌剤、鉱物、マイクロカプセル化健康添加剤、ナノ粒子、炭酸カルシウム、難燃剤、粘着防止添加剤、耐塩素分解性添加剤、染色助剤、湿潤剤、および均染剤、接着促進剤、帯電防止剤、クレーター形成防止剤、クローリング防止剤、蛍光増白剤、融合助剤、導電性添加剤、ルミネセンス添加剤、フロー剤および均染剤、凍結融解安定剤、滑剤、有機および無機充填剤、防腐剤、テクスチャー加工剤、熱変色添加剤、ならびに湿潤剤からなる群から選択される少なくとも１つの追加成分をさらに含むことを特徴とする２０．に記載の水性ポリウレタン分散液。
２７．  バルク粘度が落球法によって４０℃で測定した際に１０〜１００，０００センチポアズであることを特徴とする２０．に記載の水性ポリウレタン分散液。
２８．  バルク粘度が落球法によって４０℃で測定した際に５００〜３０，０００センチポアズであることを特徴とする２７．に記載の水性ポリウレタン分散液。
２９．  水性ポリウレタン分散液の製造方法であって、
水性ポリウレタン分散液がプレポリマーを含み、水性ポリウレタン分散液が、
ｄ）少なくとも１つのジオール化合物とイオン性塩を形成するための少なくとも１つの中和剤、および
ｅ）イソシアネート基のためのブロッキング剤としての少なくとも１つの単官能性ジアルキルアミン化合物
をさらに含む実質的に無溶媒の系であり、
およびプレポリマーを水性媒体に分散させる工程を含み、少なくとも１つの中和剤がプレポリマーを水性媒体に分散させる前にプレポリマーか水性媒体かのどちらかに加えられ、そして少なくとも１つのブロッキング剤がプレポリマーを水性媒体に分散させる間にかまたはその後かのどちらかに水性媒体に加えられることを特徴とする方法。
３０．  少なくとも１つのブロッキング剤がプレポリマーを水性媒体に分散させた直後に水性媒体に加えられることを特徴とする２９．に記載の方法。
３１．  少なくとも１つの中和剤がプレポリマーを水性媒体に分散させる前に水性媒体に加えられることを特徴とする３０．に記載の方法。
３２．  少なくとも１つの中和剤がプレポリマーを水性媒体に分散させる前にプレポリマーに加えられることを特徴とする３０．に記載の方法。
３３．  実質的に無溶媒の水性ポリウレタン分散液から誘導されることを特徴とする造形品。
３４．  実質的に非粘着性であることを特徴とする３３．に記載の造形品。
３５．  成形されていることを特徴とする３３．に記載の造形品。
３６．  ３５．に記載の造形品を含むことを特徴とする物品。
３７．  ３３．に記載の造形品を含むことを特徴とする物品。
３８．  ３６．に記載の物品を含むことを特徴とする衣類。
３９．  ブラであることを特徴とする３８．に記載の衣類。
４０．  少なくとも１つの造形品と前記造形品が付けられる基材とを含むことを特徴とする物品。
４１．  基材が編織布であることを特徴とする４０．に記載の物品。
４２．  衣類であることを特徴とする４０．に記載の物品。
４３．  造形品が剥離紙からの剥離と同時に基材に付けられることを特徴とする４０．に記載の物品。
４４．  造形品が基材に接合されまたは接着され、前記基材が編織布を含むことを特徴とする４３．に記載の物品。
４５．  造形品が編織布上の継ぎ目または支持区域に接合されるかまたは接着されることを特徴とする４４．に記載の物品。
４６．  衣類であることを特徴とする４４．に記載の物品。
４７．  衣類が下着、ブラジャー、パンティー、ランジェリー、水着、シェーパー、キャミソール、靴下、寝間着、エプロン、ウェットスーツ、タイ、手術着、宇宙服、制服、帽子、ガーター、汗止めバンド、ベルト、スポーツウェア、上着、雨着、冷気候ジャケット、パンツ、シャツ地、ドレス、ブラウス、男女トップス、セーター、コルセット、チョッキ、ニッカー、ソックス、ハイソックス、ドレス、ブラウス、エプロン、タキシード、ビシュト、アバーヤ、ヒジャーブ、ジルバーブ、サウブ、ブルカ、ケープ、コスチューム、潜水服、キルト、着物、ジャージ、ガウン、防護服、サリー、サロン、スカート、スパッツ、ストラ、スーツ、拘束衣、トーガ、タイツ、タオル、制服、ベール、ウェットスーツ、医療圧迫帯、包帯、スーツ芯材、ウエストバンド、およびそれらにおけるすべての構成材からなる群から選択されることを特徴とする４２．に記載の物品。
４８．  基材が前処理されることを特徴とする４０．に記載の物品。
４９．  基材が前記基材上のヒドロキシル官能性を増加させるために前処理されることを特徴とする４０．に記載の物品。
５０．  成形されていることを特徴とする４０．に記載の物品。
５１．  ５０．に記載の物品を含むことを特徴とする衣類。
５２．  ブラであることを特徴とする５１．に記載の衣類。
５３．  水性分散液でコートされた基材を含むことを特徴とする物品。
５４．  分散液をスプレーする、コートする、塗装する、プリントする、型押しする、浸漬する、および含浸させるための手段を用いて分散液を基材に提供する工程を含むことを特徴とする５３．に記載の物品の形成方法。
５５．  成形されていることを特徴とする５３．に記載の物品。
５６．  衣類であることを特徴とする５３．に記載の物品。
５７．  ５５．に記載の物品を含むことを特徴とする衣類。
５８．  ブラであることを特徴とする５７．に記載の衣類。
５９．  手袋、コンドーム、ビーズ、繊維、およびフィルムのシートを含むことを特徴とする３３．に記載の造形品。
６０．  フィルムまたはテープの２つ以上の層が付けられることを特徴とする３３．に記載の造形品。
６１．  水性ポリウレタン分散液の少なくとも１つの層をさらに含むことを特徴とする３３．に記載の造形品。
６２．  プリントされていることを特徴とする３３．に記載の造形品。
６３．  ０．１ミル〜２５０ミルの厚さを有することを特徴とする３３．に記載の造形品。
６４．  ０．５ミル〜２５ミルの厚さを有することを特徴とする６３．に記載の造形品。
６５．  １〜６ミルの厚さを有することを特徴とする６４．に記載の造形品。
６６．  水性分散液コーティングが２．５ｇ／ｍ２〜６．４０ｋｇ／ｍ２の坪量を有することを特徴とする５３．に記載の物品。
６７．  水性分散液コーティングが１２．７ｇ／ｍ２〜６３５ｇ／ｍ２の坪量を有することを特徴とする６６．に記載の物品。
６８．  水性分散液コーティングが２５．４ｇ／ｍ２〜１５２．４ｇ／ｍ２の坪量を有すことを特徴とする６７．に記載の物品。
６９．  接着剤がストレッチ部材を基材に折ったへり配置で貼り付けるために使用されることを特徴とする接着剤、ストレッチ部材、および基材を含む物品。
７０．  接着剤がテープであることを特徴とする６９．に記載の物品。
７１．  接着剤が水性ポリウレタン分散液であることを特徴とする６９．に記載の物品。
７２．  ストレッチ部材がスパンデックスであることを特徴とする６９．に記載の物品。
７３．  ストレッチ部材がゴムであることを特徴とする６９．に記載の物品。
７４．  ストレッチ部材が狭い弾性ストリップであることを特徴とする６９．に記載の物品。
７５．  接着剤およびストレッチ部材が第１工程で接合されて接着剤ストレッチ部材を製造し、そして接着剤ストレッチ部材が第２工程で基材に付けられることを特徴とする６９．に記載の物品の製造方法。
７６．  接着剤およびストレッチ部材が１つの工程で基材に加えられることを特徴とする６９．に記載の物品の製造方法。
７７．  ６９．に記載の物品を含むことを特徴とする衣類。
７８．  ブラジャーであることを特徴とする７７．に記載の衣類。
７９．  下着であることを特徴とする７７．に記載の衣類。
８０．  水着であることを特徴とする７７．に記載の衣類。
８１．  残留歪の％が０〜１０％であることを特徴とする３３．に記載の物品。
８２．  ％残留歪が０〜５％であることを特徴とする３３．に記載の物品。
８３．  ％残留歪が０〜３％であることを特徴とする３３．に記載の物品。
８４．  最大伸びが４００％〜８００％であることを特徴とする３３．に記載の物品。
８５．  テナシティが０．５〜３Ｍｐａであることを特徴とする３３．に記載の物品。
８６．  ラミネートの剥離強度が、ＡＡＴＣＣ−１５０−２００１に従う５０回洗濯の後のＡＳＴＭ  Ｄ０９３−９３に従って、元の剥離強度値の５０％まで下がらないことを特徴とする物品および基材を含むラミネート。
８７．  ラミネートの水蒸気輸送がＡＳＴＭ  Ｅ９６−００に従って２４時間にわたって０〜３００ｇ／ｍ２であることを特徴とする物品および基材を含むラミネート。
８８．  ラミネートの通気度がＡＳＴＭ  Ｄ７３７−９６に従って０〜０．５ｃｆｍであることを特徴とする物品および基材を含むラミネート。
８９．  造形品および基材が貼り付けられてラミネートを形成し、それによってラミネートの摩擦係数が基材の摩擦係数より高いことを特徴とする３３．に記載の造形品および基材を含む物品。
９０．  造形品を含む物品であって、物品が弾性率および長さを有し、前記弾性率が物品の長さに沿って変わることを特徴とする物品。